(57)【要約】【課題】携帯端末を利用した各種設備の点検業務において、地図の描画性能を損なうことなく、かつサーバーへの負担を少なくして、速やかな画像生成が可能な設備表示システムを得る。【解決手段】  設備シンボルの移動などのリクエストをサーバ２へ送信する手段１１、サーバ２からのレスポンスを受信する手段１２、携帯画像を格納する手段１３、携帯画像を管理する手段１４、地図を表示する画面１５、地図を表示する手段１６、携帯端末１上の地図に設備シンボルを一時的に描画する手段１７、設備画像の変更などを指定する入力手段１８を携帯端末１に設け、サーバ２での画像の生成範囲を限定し、画像の生成時間およびダウンロード時間を軽減するようにした。【選択図】図１
2015184599.tif 000002
【特許請求の範囲】
【請求項１】
携帯端末とサーバとを備え、上記携帯端末からのリクエストに応じて上記サーバで作成した地図情報を上記携帯端末上に背景地図情報と設備の位置及び設備情報を表示する携帯端末を利用した設備表示システムであって、上記携帯端末は、上記サーバにリクエストを送信するリクエスト送信部と、上記サーバからレスポンスを受信するレスポンス受信部と、背景の地図を表現する背景地図画像、設備シンボルを表現する設備シンボル画像、及び背景と設備シンボルを重ね合わせた合成地図画像を格納する携帯画像格納部と、上記画像の管理に関する処理を実施する携帯画像管理部と、上記合成地図画像を表示するための地図表示画面と、上記地図表示画面に上記合成地図画像を表示する処理を実施する地図表示部と、上記地図表示画面に設備シンボルの一時描画を実施する一時描画部と、点検作業者が地図や設備シンボルを操作するための入力装置とを備え、上記サーバは、上記携帯端末からのリクエストを受信するリクエスト受信部と、上記携帯端末へレスポンスを送信するレスポンス送信部と、背景の地図を表現する背景地図画像、設備シンボルを表現する設備シンボル画像、及び背景と設備シンボルを重ね合わせた合成地図画像を格納するサーバ画像格納部と、上記画像の管理に関する処理を実施するサーバ画像管理部と、上記合成地図画像を生成するサーバ画像生成部と、設備情報を格納する設備情報データベース（設備情報ＤＢ）と、上記設備情報ＤＢに格納された設備情報の追加・更新・削除を実施するＤＢアクセス部とを備え、地図表示範囲における異なる縮尺分の背景地図画像、合成地図画像、各種設備シンボル画像といった設備シンボルの表示、地図の表示に必要な画像ファイルを上記サーバからダウンロード後、上記携帯端末に一時描画して格納し、上記携帯端末上に地図を表示することを特徴とする携帯端末を利用した設備表示システム。
【請求項２】
上記設備情報ＤＢは、設備種類、設備の形状、設備座標及び、どの設備とどういった順番で重なっているかを示す重なり情報を有することを特徴とする請求項１記載の携帯端末を利用した設備表示システム。
【請求項３】
上記背景地図画像は、基点となる座標、幅、高さを有し、異なる縮尺別に保存・管理されていることを特徴とする請求項１記載の携帯端末を利用した設備表示システム。
【請求項４】
上記携帯端末は合成地図画像に追加設備シンボル画像を重ねる形で一時描画し、上記サーバは設備シンボルの設備情報をもとに更新対象の合成地図画像を生成し、上記携帯端末は上記サーバから合成地図画像をダウンロード後、一時描画を停止し、合成地図画像を表示することにより、携帯端末上への設備シンボルの追加を表示することを特徴とする請求項１記載の携帯端末を利用した設備表示システム。
【請求項５】
上記携帯端末は合成地図画像の該当箇所から指定した設備シンボルを削除した状態で一時描画し、上記サーバは設備シンボルの設備情報をもとに更新対象の合成地図画像を生成し、上記携帯端末は上記サーバから合成地図画像をダウンロード後、一時描画を停止し、合成地図画像を表示することにより、携帯端末上での設備シンボルの削除を表現することを特徴とする請求項１記載の携帯端末を利用した設備表示システム。
【請求項６】
上記携帯端末は設備シンボルの移動元において合成地図画像の該当箇所から指定した移動対象の設備シンボルを削除した状態で一時描画し、設備シンボルの移動先において合成地図画像の該当箇所から指定した移動対象の設備シンボルを削除した状態で一時描画し、上記サーバは設備シンボルの設備情報をもとに更新対象の合成地図画像を生成し、上記携帯端末は上記サーバから合成地図画像をダウンロード後、一時描画を停止し、合成地図画像を表示することにより、携帯端末上での設備シンボルの移動を表現することを特徴とする請求項１記載の携帯端末を利用した設備表示システム。
【請求項７】
上記一時描画の処理が実行されている場合、一時描画を維持した形で合成地図画像の表示範囲を変更することで地図の移動を携帯端末上に表示し、上記サーバは移動前の地図表示範囲と移動後の地図表示範囲から、ダウンロード対象となる背景地図画像・合成地図画像を判別し、上記携帯端末は上記サーバからそれらの画像をダウンロードし、携帯端末上に表示した後、一時描画を停止し、不要な背景地図画像・合成地図画像を携帯端末から削除することにより、携帯端末上での地図の移動を表現することを特徴とする請求項１、請求項４、請求項５、請求項６のいずれかに記載の携帯端末を利用した設備表示システム。
【請求項８】
上記携帯端末は変更された縮尺に応じて上記携帯端末に格納された合成地図画像を判別後、上記携帯端末に表示し、上記一時描画の処理が実行されている場合、縮尺変更後、再度一時描画を実施し、上記サーバは縮尺変更後の地図の表示範囲をもとにダウンロード対象の合成地図画像を判別し、上記携帯端末は上記サーバから合成地図画像をダウンロード後、一時描画を停止し、合成地図画像を表示することにより、携帯端末上で縮尺変更後の地図を表示することを特徴とする請求項１、請求項４、請求項５、請求項６のいずれかに記載の携帯端末を利用した設備表示システム。
【発明の詳細な説明】
【技術分野】
【０００１】
この発明は各種設備（電柱、電線、開閉器、マンホール、水道管など）の維持管理業務に使用される携帯端末を利用した設備表示システムに関する。
【背景技術】
【０００２】
電力会社や自治体などにおいて設備を維持管理する際、設備の点検を計画し、実施する業務（以下、点検業務）がある。点検業務の効率化を目的とし、地図を表示する装置（以下、地図表示装置）と地図を生成する装置（以下、地図生成装置）から構成される地図表示システムを利用して、設備の位置を設備シンボルとして地図表示装置に出力された地図に表示する。
スマートフォンやタブレットなどの携帯端末を地図表示装置として利用することで、携帯端末上に地図を出力し、その地図上に設備シンボルを表示することができ、点検現場の作業員（以下、点検作業者）は、点検現場の位置や設備情報を確認し点検業務を実施することができる。
【０００３】
点検作業者は必要に応じて地図の移動や拡大縮小を実施するが、携帯端末上に表示した設備シンボルの数や携帯端末の通信環境によって、地図の描画が操作に追従しないなど描画性能を損なう場合があった。こういった課題を解決するために、背景地図に設備シンボルを埋め込んだ地図画像を地図生成装置から都度取得し携帯端末に格納することで、地図上に設備シンボルを描画することなく利用する方法を実現した地図表示システムも考えられている。
【先行技術文献】
【特許文献】
【０００４】
【特許文献１】特開２００３−１３１５６５号公報
【発明の概要】
【発明が解決しようとする課題】
【０００５】
背景地図に設備シンボルを埋め込んだ地図画像を作成する方法としては、地図表示システムの構築時点であらかじめ作成した上で、特許文献１に記載されているように、携帯端末に表示された地図上にて、設備シンボルを新規追加や削除に応じて地図生成装置にて動的に再生成する方法がある。
【０００６】
しかしながら、上記の方法では、地図生成装置における画像再生成に時間がかかるという問題があり、さらに、変更範囲を厳密に絞り込んでいない場合はデータ量が大きくなりダウンロードに時間がかかるといった課題があった。携帯端末のように描画性能や通信性能の低い端末を利用する場合、これらの影響を受けやすく、描画性能が悪化する恐れがあった。
【０００７】
本発明は上記課題に鑑みてなされたものであり，その解決を図る設備表示システムを提供するものである。
【課題を解決するための手段】
【０００８】
本発明の設備表示システムは、携帯端末とサーバとを備え、上記携帯端末からのリクエストに応じて上記サーバで作成した地図情報を上記携帯端末上に背景地図情報と設備の位置及び設備情報を表示する携帯端末を利用した設備表示システムであって、上記携帯端末は、上記サーバにリクエストを送信するリクエスト送信部と、上記サーバからレスポンスを受信するレスポンス受信部と、背景の地図を表現する背景地図画像、設備シンボルを表現する設備シンボル画像、及び背景と設備シンボルを重ね合わせた合成地図画像を格納する携帯画像格納部と、上記画像の管理に関する処理を実施する携帯画像管理部と、上記合成地図画像を表示するための地図表示画面と、上記地図表示画面に上記合成地図画像を表示する処理を実施する地図表示部と、上記地図表示画面に設備シンボルの一時描画を実施する一時描画部と、点検作業者が地図や設備シンボルを操作するための入力装置とを備え、上記サーバは、上記携帯端末からのリクエストを受信するリクエスト受信部と、上記携帯端末へレスポンスを送信するレスポンス送信部と、背景の地図を表現する背景地図画像、設備シンボルを表現する設備シンボル画像、及び背景と設備シンボルを重ね合わせた合成地図画像を格納するサーバ画像格納部と、上記画像の管理に関する処理を実施するサーバ画像管理部と、上記合成地図画像を生成するサーバ画像生成部と、設備情報を格納する設備情報データベース（設備情報ＤＢ）と、上記設備情報ＤＢに格納された設備情報の追加・更新・削除を実施するＤＢアクセス部とを備え、地図表示範囲における異なる縮尺分の背景地図画像、合成地図画像、各種設備シンボル画像といった設備シンボルの表示、地図の表示に必要な画像ファイルを上記サーバからダウンロード後、上記携帯端末に一時描画して格納し、上記携帯端末上に地図を表示するようにしたものである。
【発明の効果】
【０００９】
この発明による設備表示システムによれば、サーバでの合成地図の生成時間およびダウンロードを待つことなく、携帯端末上に追加した設備シンボルが表示されることで描画性能が改善する。また、設備シンボルの追加後に背景地図画像および合成地図画像をサーバから画像ダウンロードすることで、ダウンロードの頻度を抑制することでき、描画性能が改善する。
【図面の簡単な説明】
【００１０】
【図１】本発明における地図表示システムの構成図。
【図２】縮尺別に管理された背景地図画像を示す図。
【図３】縮尺別に管理された合成地図画像を示す図。
【図４】設備シンボル画像の例を示す図。
【図５】設備情報データベースを示す図。
【図６】携帯端末に格納される背景地図画像、合成地図画像、設備シンボル画像を示す図。
【図７】携帯端末上に表示された合成地図画像を示す図。
【図８】設備シンボル追加時の携帯端末における一時描画を説明する図。
【図９】設備シンボル追加時の更新対象の合成地図画像の判別を説明する図。
【図１０】設備シンボル追加時の合成地図画像の生成を説明する図。
【図１１】携帯端末上に表示された再生成された合成地図画像を示す図。
【図１２】設備シンボル削除時の携帯端末における一時描画を説明する図。
【図１３】設備シンボル削除時の更新対象の合成地図画像の判別を説明する図。
【図１４】設備シンボル削除時の合成地図画像の生成を説明する図。
【図１５】設備シンボルの移動操作を説明する図。
【図１６】設備シンボル移動時の携帯端末における一時描画（移動元）を説明する図。
【図１７】設備シンボル移動時の携帯端末における一時描画（移動先）を説明する図。
【図１８】設備シンボル移動時の合成地図画像の生成を説明する図。
【図１９】地図移動時の合成地図画像を示す図。
【図２０】地図移動時のダウンロード対象となる背景地図画像を説明する図。
【図２１】地図移動時のダウンロード対象となる合成地図画像を説明する図。
【図２２】地図移動時の削除対象となる背景地図画像および合成地図画像を示す図。
【図２３】地図拡大縮小時の合成地図画像を示す図。
【図２４】地図拡大縮小時のダウンロード対象となる合成地図画像を説明する図。
【図２５】実施の形態１におけるフローチャート。
【図２６】実施の形態２におけるフローチャート。
【図２７】実施の形態３におけるフローチャート。
【図２８】実施の形態４におけるフローチャート。
【図２９】実施の形態５におけるフローチャート。
【図３０】実施の形態６におけるフローチャート。
【発明を実施するための形態】
【００１１】
以下、本発明の実施形態について、図１〜図５に基づいて、その基本構成について説明する。
本発明は、地図表示装置としての携帯端末１と地図生成装置としてのサーバ２を備えた地図表示システムであり、携帯端末１とサーバ２は無線ネットワーク３で結ばれている。
携帯端末１は、サーバ２にリクエストを送信するリクエスト送信部１１と、サーバ２からレスポンスを受信するレスポンス受信部１２と、背景の地図を表現する背景地図画像と設備シンボルを表現する設備シンボル画像と背景と設備シンボルを重ね合わせた合成地図画像を格納する携帯画像格納部１３と、上記画像の管理に関する処理を実施する携帯画像管理部１４と、上記合成地図画像を表示するための地図表示画面１５と、上記地図表示画面１５に上記合成地図画像を表示する処理を実施する地図表示部１６と、上記地図表示画面１５に設備シンボルの一時描画を実施する一時描画部１７と、点検作業者が地図や設備シンボルを操作するための入力装置１８から構成される（図１参照）。
【００１２】
サーバ２は、携帯端末１からのリクエストを受信するリクエスト受信部２１と、携帯端末へレスポンスを送信するレスポンス送信部２２と、背景の地図を表現する背景地図画像と設備シンボルを表現する設備シンボル画像と背景と設備シンボルを重ね合わせた合成地図画像を格納するサーバ画像格納部２３と、上記画像の管理に関する処理を実施するサーバ画像管理部２４と、上記合成地図画像を生成するサーバ画像生成部２５と、設備情報（設備種類、矩形、設備座標、重なり情報）を格納する設備情報データベース（設備情報ＤＢ）２６と、上記設備情報ＤＢ２６に格納された設備情報を追加・更新・削除を実施するＤＢアクセス部２７から構成される（図１参照）。
【００１３】
携帯端末１の携帯画像管理部１４およびサーバ画像管理部２４には、上記のとおり、背景地図画像・合成地図画像・設備シンボル画像が格納される。
背景地図画像には管理情報として、「基点となる座標・幅・高さ」が付与されており、縮尺別にフォルダ等で管理される（図２参照）。図２の例では、基点となる座標が左上座標で、１／２０００、１／３０００、１／４０００の３種の異なる縮尺の背景地図情報が保存・管理されている。
合成地図画像については、管理情報として、「左上座標・幅・高さ・更新日時」が付与されており、縮尺別にフォルダ等で管理される（図３参照）。更新日時はサーバにて合成地図画像が生成された日時を示す。携帯画像管理部１４に格納された合成地図画像の更新日時とサーバ画像格納部２３に格納された合成地図画像の更新日時を比較することで、携帯端末１がサーバ２から合成地図画像をダウンロードする際に、その対象を判別することができる。設備シンボル画像には管理情報として、「設備種別」が付与される（図４参照）。
【００１４】
サーバ２の設備情報ＤＢ２６で管理される設備情報の内訳として、設備の種類を示す「設備種別」、設備の形状・大きさを示す「矩形」、設備の位置を示す「設備座標」、どの設備シンボルとどういった順番で重なっているかを示す「重なり情報」を持つ（図５参照）。    
【００１５】
実施の形態１．
以下、この発明の実施の形態１を図６、図７、及び動作フローを示す図２５に基づいて説明する。この実施の形態１は、背景地図画像と設備シンボルの合成画像を生成し、携帯端末に表示させることを実施する。
点検作業者は携帯端末上に地図を表示する操作を実施する（ステップＳ１０１）。携帯端末１のリクエスト送信部１１はサーバ２に画像ダウンロードを要求するリクエストを送信する（ステップＳ１０２）。ダウンロードする画像は、地図表示範囲における全縮尺分の背景地図画像、合成地図画像、全ての設備シンボル画像となる。図６（ａ）は、背景地図画像３１を示しており、ダウンロード対象３２のうちの一部が表示範囲３３となる。図６（ｂ）は、合成地図画像４１を示しており、ダウンロード対象４２のうちの一部が表示範囲４３となる。図６（ｃ）は、設備シンボル画像５１と、ダウンロード対象５２を示す。
【００１６】
サーバ画像管理部２４は地図表示範囲から携帯端末１に格納する背景地図画像３１、合成地図画像４１を決定する（ステップＳ１０３）。サーバ２のレスポンス送信部２２は「ダウンロード対象の画像を格納した」レスポンスを生成し、携帯端末１に送信する（ステップＳ１０４）。携帯端末１のレスポンス受信部１２はレスポンスを受信する。携帯端末１の携帯画像管理部１４はダウンロードした画像を携帯画像格納部１３に格納する（ステップＳ１０５）。携帯端末１の地図表示部１６は、図７に示すように地図表示画面１５に合成地図画像を表示する（ステップＳ１０６）。
以上の方法を実現した地図表示システムにより、表示範囲における全縮尺の背景地図画像および合成地図画像を携帯画像格納部１３に格納するため、サーバ２との通信を抑制し、携帯端末１で地図の描画性能を改善することができる。
【００１７】
実施の形態２.
以下、この発明の実施の形態２を図８〜図１１、及び動作フローを示す図２６に基づいて説明する。この実施の形態２は、設備の追加シンボルを携帯端末の表示画面に追加する手段を示す。
点検作業者は、図８（ａ）に示すように携帯端末１の地図上に設備シンボルを追加する操作を実施する（ステップＳ２０１）。まず、携帯端末１の地図表示部１６は、図８（ｂ）に示す携帯画像格納部１３の合成地図画像６１に追加設備シンボル画像６５を重ねる形で図８（ｃ）のように一時描画する（ステップＳ２０２）。なお、図８（ｂ）において、合成地図画像６１の範囲６２は図６のダウンロード対象４２と一致しており、表示範囲６３は図６の表示範囲４３と一致している。また、図８（ｃ）に示すように、追加シンボル６５の近辺範囲６４と、追加した設備シンボル画像６５とが合成されて一時描画結果６６となっている。
【００１８】
次いで、携帯端末１のリクエスト送信部１１はサーバ２に「合成地図画像７１の生成およびダウンロードを要求する」リクエストを送信する（ステップＳ２０３）。リクエストの詳細な内訳は、「追加対象の設備シンボル７５の設備情報（設備種類、設備座標、矩形）」、「携帯画像格納部１３に格納された合成地図画像７１の更新日時」となる。サーバ２は設備シンボル７５の設備情報（設備座標）をもとに画像の生成範囲（更新対象７４）を特定すること、更新日時をもとにダウンロード対象の合成地図画像を特定することができる。
【００１９】
サーバ２のＤＢアクセス部２７は追加した設備シンボル７５の設備情報７６を設備情報ＤＢ２６に追加する（ステップＳ２０４）。サーバ画像管理部２４は、追加した設備シンボル７５の設備情報７６（設備種類、設備座標、矩形）をもとに更新対象７４の合成地図画像を判別する（ステップＳ２０５）。（図９参照）
サーバ画像生成部２５は、設備情報（矩形）から追加したシンボル７５の大きさ、設備情報（重なり情報）から他のシンボルとの重なりや順番を判別し、更新対象７４の合成地図画像の変更範囲７７を決定する（ステップＳ２０６）。サーバ画像生成部２５は、変更範囲７７において、背景地図画像と設備シンボル画像を重ねる形で再生成された合成地図画像７８を生成する（ステップＳ２０７）。（図１０参照）
【００２０】
サーバ画像管理部２４は、作成された合成地図画像をサーバ画像格納部２３に格納する（ステップＳ２０８）。サーバ画像管理部２４は携帯端末１から得られた「携帯画像格納部１３に格納された合成地図画像の更新日時」をもとに、携帯端末１からのダウンロード対象となる合成地図画像を判別する（ステップＳ２０９）。
サーバ２のレスポンス送信部２２は「ダウンロード対象の合成地図画像を格納したレスポンス」を生成し、携帯端末１に送信する（ステップＳ２１０）。携帯端末１の携帯画像管理部１４は合成地図画像８１を携帯画像格納部１３に格納する（ステップＳ２１１）。携帯端末１の一時描画部１７は一時描画を停止する（ステップＳ２１２）。携帯端末１の地図表示部１６は地図表示画面１５に表示範囲８３の合成地図画像を表示する（ステップＳ２１３）。（図１１参照）
【００２１】
以上の方法を実現した地図表示システムにより、サーバ２での合成地図の生成時間およびダウンロードを待つことなく、携帯端末１上に追加した設備シンボルが表示されることで描画性能が改善する。また、設備シンボルの追加後に背景地図画像および合成地図画像をサーバ２からの画像ダウンロードすることで、ダウンロードの頻度を抑制することでき、描画性能が改善する。
【００２２】
実施の形態３.
以下、この発明の実施の形態３を図１２、図１３、図１４及び動作フローを示す図２７に基づいて説明する。
点検作業者は携帯端末１の地図上の設備シンボルを削除する操作（図１２（ａ））を実施する（ステップＳ３０１）。携帯端末１の一時描画部１７は設備シンボル削除による変更範囲９８を算出する（ステップＳ３０２）。一時描画部１７は変更範囲９８において背景地図に削除シンボル９５を除いた設備シンボルを重ねる形で一時描画する（ステップＳ３０３）。（図１２（ｃ）参照）
【００２３】
図１２（ｂ）は、携帯画像格納部１３の合成地図画像９１を示し、表示範囲９３、更新対象９４を表示している。なお、削除するシンボル９５はカーソル９０で指定することができる。図１２（ｃ）は、一時描画の様子を示す図で、変更範囲９８の部分のシンボルを削除した画像９２と変更範囲９８の背景地図画像９３と、削除シンボル９５を除いた設備シンボル画像９７とを合成して、一時描画結果９６を得ることができる。
携帯端末１のリクエスト送信部１１はサーバ２に「合成地図画像の生成およびダウンロードを要求する」リクエストを送信する（ステップＳ３０４）。リクエストの詳細な内訳は、「削除対象の設備シンボルの設備情報（設備種類、矩形、設備座標）」、「携帯画像格納部１３に格納された合成地図画像の更新日時」となる。サーバ２は設備シンボルの設備情報（設備座標）をもとに画像の生成範囲（更新対象９４）を特定すること、更新日時をもとにダウンロード対象の合成地図画像を特定することができる。サーバ２のＤＢアクセス部２７は、削除した設備シンボル９５の設備情報９９を設備情報ＤＢ２６から削除する（ステップＳ３０５）。サーバ画像管理部２４は、削除した設備シンボル９５の設備情報（設備座標、矩形）９９をもとに更新対象９４の合成地図画像９１を判別する（ステップＳ３０６）。（図１３参照）
【００２４】
サーバ画像生成部２５は、設備情報（矩形）から削除したシンボルの大きさ、設備情報（重なり情報）から他のシンボルとの重なりや順番を判別し、更新対象９４の合成地図画像の変更範囲９８を決定する（ステップＳ３０７）。サーバ画像生成部２５は、変更範囲９８において、背景地図画像９３と削除対象９５を除いた設備シンボル画像９７を重ねる形で合成地図画像１００を再生成する（ステップＳ３０８）。（図１４参照）
【００２５】
実施の形態２と同様の方法で、携帯端末１はサーバ２から画像をダウンロードし、地図表示画面１５に合成地図画像を表示する（図１２（ａ）参照）（ステップＳ３０９）。
以上の方法を実現した地図表示システムにより、サーバ２での合成地図の生成時間およびダウンロード時間を待つことなく、携帯端末１上から削除した設備シンボルが表示されることで描画性能が改善する。
また。設備シンボルの削除後に背景地図画像および合成地図画像をサーバ２からの画像ダウンロードすることで、ダウンロードの頻度を抑制することでき、描画性能が改善する。
【００２６】
実施の形態４.
以下、この発明の実施の形態４を図１５〜図１８、及び動作フローを示す図２８に基づいて説明する。
点検作業者は携帯端末の地図上の設備シンボルを移動する操作を実施する（ステップＳ４０１）。（図１５参照）
設備シンボルの移動元において、設備シンボル移動に伴う変更範囲１０８ａを算出する（ステップＳ４０２）。携帯端末１の一時描画部１７は移動元における変更範囲１０８ａにおいて、背景地図、移動シンボル１０５を除いた設備シンボルを重ねる形で一時描画する（ステップＳ４０３）。（図１６参照）
【００２７】
図１６（ａ）は、携帯画像格納部１３の合成地図画像１０１ａを示し、表示範囲１０３、更新対象１０４ａ、移動シンボル１０５を表示している。なお、移動するシンボル１０５はカーソル９０ａで指定することができ、移動先はカーソル９０ｂで指定することができる。図１６（ｂ）は、一時描画の様子を示す図で、変更範囲１０８ａの部分のシンボルを削除した画像１０２ａと変更範囲１０８ａの背景地図画像１０３ａと、移動シンボル１０５を除いた設備シンボル画像１０７ａとを合成して、一時描画結果１０６ａを得ることができる。
【００２８】
設備シンボルの移動操作の完了後、設備シンボルの移動先において、携帯端末１の一時描画部１７は設備シンボル移動に伴う変更範囲１０８ｂを算出する（ステップＳ４０４）。一時描画部１７は変更範囲１０８ｂにおいて、合成地図画像に移動した設備シンボル１０５を重ねる形で一時描画する（ステップＳ４０５）。（図１７参照）
図１７（ａ）は、携帯画像格納部１３の合成地図画像１０１ｂを示し、表示範囲１０３、更新対象１０４ｂ、移動シンボル１０５を表示している。図１７  （ｂ）は、一時描画の様子を示す図で、変更範囲１０８ｂの部分のシンボルを削除した画像１０２ｂと変更範囲１０８ｂの背景地図画像１０３ｂと、移動シンボル画像１０５とを合成して、一時描画結果１０６ｂを得ることができる。
【００２９】
携帯端末１のリクエスト送信部１２はサーバ２に「合成地図画像の生成およびダウンロードを要求する」リクエストを送信する（ステップＳ４０６）。リクエストの詳細な内訳は、「移動対象の設備シンボル１０５の設備情報（設備種類、矩形、移動前の設備座標、移動後の設備座標）」、「携帯画像格納部１３に格納された合成地図画像の更新日時」となる。設備シンボルの設備情報（設備座標）をもとに、サーバ２は画像の生成範囲（更新対象１０４ａ、１０４ｂ）を特定すること、更新日時をもとにダウンロード対象の合成地図画像を特定することができる。
【００３０】
サーバ２のＤＢアクセス部２７は設備情報ＤＢ２６にアクセスし移動対象１０５の設備シンボルの設備情報（設備座標、重なり情報）を変更する（ステップＳ４０７）。サーバ画像管理部２４は、移動した設備シンボルの設備情報（移動前の設備座標、矩形）をもとに移動元における更新対象１０４ａの合成地図画像、移動した設備シンボル１０５の設備情報（移動後の設備座標、矩形）をもとに移動先における更新対象１０４ｂの合成地図画像を判別する（ステップＳ４０８）。サーバ画像生成部２５は、設備情報（矩形）から移動したシンボルの大きさ、設備情報（重なり情報）から他のシンボルとの重なりや順番を判別し、更新対象１０４ａ、１０４ｂの合成地図画像の変更範囲１０８ａ、１０８ｂを決定する（ステップＳ４０９）。
【００３１】
サーバ画像生成部２５は、移動元における変更範囲１０８ａにおいて、背景地図画像１０３ａと移動対象１０５を除いた設備シンボル画像１０７ａを重ねる形で合成地図画像１１０ａを生成し（ステップＳ４１０）、移動先における変更範囲１０８ｂにおいて、背景地図画像１０３ｂと移動対象の設備シンボル画像１０５を重ねる形で合成地図画像１１０ｂを生成する（ステップＳ４１１）。（図１８参照）
一時描画部１７は移動元における変更範囲において背景地図、移動シンボルを除いた設備シンボルを重ねる形で一時描画する（ステップＳ４１２）。
【００３２】
実施の形態２と同様の方法で、携帯端末１はサーバ２から画像をダウンロードし、地図表示画面１５に合成地図画像を表示する（ステップＳ４１３）。
以上の方法を実現した地図表示システムにより、サーバ２での合成地図の生成時間およびダウンロード時間を待つことなく、携帯端末１上で移動した設備シンボルが表示されることで描画性能が改善する。また。設備シンボルの移動後に背景地図画像および合成地図画像をサーバからの画像ダウンロードすることで、ダウンロードの頻度を抑制することでき、描画性能が改善する。
【００３３】
実施の形態５.
以下，この発明の実施の形態５を図１９〜図２２、及び動作フローを示す図２９に基づいて説明する。
点検作業者は携帯端末１の地図を移動する操作を実施する（ステップＳ５０１）。携帯端末１の地図表示部１６は地図の表示範囲を変更する（ステップＳ５０２）。変更した表示範囲において、携帯画像管理部１４は表示対象となる合成地図画像を特定し（図１９（ｂ）参照）、地図表示部１６は合成地図画像を表示する（ステップＳ５０３）（図１９（ａ）参照）。
実施の形態２、実施の形態３、実施の形態４における一時描画の処理が実行されている場合、一時描画を維持した形で、地図表示部１６は合成地図画像を表示する（ステップＳ５０４）。地図の移動が完了後、携帯端末１のリクエスト送信部１１は「背景地図画像および合成地図画像のダウンロードを要求する」リクエストを送信する（ステップＳ５０５）。リクエストの詳細な内訳は、「移動前の地図の表示範囲」、「移動後の地図の表示範囲」、「合成地図画像の更新日時」となる。サーバ２はこれらをもとに、ダウンロード対象の背景地図画像および合成地図画像を特定することができる。
【００３４】
サーバ画像管理部２４は移動前の地図表示範囲１２２と移動後の地図表示範囲１２３から、ダウンロード対象となる背景地図画像を判別する（ステップＳ５０６）。（図２０参照）すなわち、移動前の地図表示範囲１２２と移動後の地図表示範囲１２３を合わせた領域を考え、これらをダウンロードする際のセル単位で見て、携帯画像格納部１３に存在しないセル１２４について背景地図画像のダウンロードを実施する。
サーバ画像管理部２４は移動前の地図表示範囲１２２と移動後の地図表示範囲１２３と合成画像の更新日時から、ダウンロード対象となる合成地図画像を判別する（ステップＳ５０７）。（図２１参照）
すなわち、移動前の地図表示範囲１２２と移動後の地図表示範囲１２３を合わせた領域を考え、これらをダウンロードする際のセル単位で見て、携帯画像格納部１３に存在しないセル１２４について背景地図画像のダウンロードを実施する。また、移動前と移動後ともに関係するセル１２５に関しては更新日時を確認して、ダウンロードするかしないか判断する。
【００３５】
サーバ２のレスポンス送信部２２は「ダウンロード対象の背景地図画像および合成地図画像を格納したレスポンス」を生成し、携帯端末１に送信する（ステップＳ５０８）。携帯端末１の携帯画像管理部１４は地図画像を携帯画像格納部１３に格納する（ステップＳ５０９）。携帯画像管理部１３は移動前の地図表示範囲１２２と移動後の地図表示範囲１２３から、削除対象となる背景地図画像１２６および合成地図画像１２７を判別し削除する（ステップＳ５１０）。（図２２参照）
【００３６】
携帯端末１の一時描画部１７は一時描画を停止する（ステップＳ５１１）。携帯端末１の地図表示部１６は地図表示画面１５に合成地図画像を表示する（ステップＳ５１２）。（図１９（ａ）参照）
以上の方法を実現した地図表示システムにより、サーバ２からの合成地図画像のダウンロードを待つことなく、携帯画像格納部の合成地図画像を表示することで地図の移動を表示するため、描画性能が改善する。
また、地図移動の操作後に背景地図画像および合成地図画像をサーバからの画像ダウンロードすることで、ダウンロードの頻度を抑制することでき、描画性能が改善する。
【００３７】
実施の形態６.
以下、この発明の実施の形態６を図２３、図２４、及び動作フローを示す図３０に基づいて説明する。
点検作業者は携帯端末の地図を拡大縮小する操作を実施する（ステップＳ６０１）。携帯端末１の地図表示部１６は拡大縮小後の表示範囲を算出する（ステップＳ６０２）。携帯画像管理部１４は表示範囲をもとに携帯画像格納部１３から拡大縮小後縮尺に応じた合成地図画像を判別する（ステップＳ６０３）。変更した縮尺および表示範囲において、地図表示部１６は合成地図画像を表示する（ステップＳ６０４）。（図２３（ａ）参照）
図２３（ｂ）は、携帯画像格納部１３の合成地図画像１３１の拡大縮小前と、拡大縮小後の画像を示し、表示範囲１３３内の画像は、拡大縮小前と拡大縮小後でシンボルの大きさは変化しないが、背景地図の縮尺は変化している。なお、図２３は拡大の例を示している。
【００３８】
実施の形態２、実施の形態３、実施の形態４における一時描画の処理が実行されている場合、縮尺変更後、再度一時描画を実施する。地図の拡大縮小の完了後、携帯端末１のリクエスト送信部１１は「合成地図画像のダウンロードを要求する」リクエストを送信する（ステップＳ６０５）。リクエストの詳細な内訳は、「拡大縮小後の縮尺」、「地図の表示範囲」、「合成地図画像の更新日時」となる。サーバ画像管理部２４は「拡大縮小後の縮尺」、「地図の表示範囲」、「合成画像の更新日時」から、ダウンロード対象となる合成地図画像を判別する（ステップＳ６０６）。（図２４参照）
【００３９】
すなわち、拡大縮小前の地図表示範囲１３５と拡大縮小後の地図表示範囲１３６の両領域を考え、これらをダウンロードする際のセル単位で見て、携帯画像格納部１３に存在しないセルについては背景地図画像のダウンロードを実施する。なお、図２３、図２４は拡大の例を示しており、新たに必要となる背景地図データはない。また、移動前と移動後ともに関係するセルに関しては更新日時を確認して、ダウンロードするかしないか判断する。
【００４０】
実施の形態２と同様の方法で、携帯端末１はサーバ２から画像をダウンロードし、地図表示画面１５に合成地図画像を表示する（ステップＳ６０７）。（図２３（ａ）参照）
以上の方法を実現した地図表示システムにより、サーバからの合成地図画像のダウンロードを待つことなく、携帯画像格納部の合成地図画像を表示することで地図の拡大縮小を表示するため、描画性能が改善する。また、地図拡大縮小の操作後に背景地図画像および合成地図画像をサーバからの画像ダウンロードすることで、ダウンロードの頻度を抑制することでき、描画性能が改善する。
【符号の説明】
【００４１】
１  携帯端末、  ２  サーバ、  ３  無線ネットワーク、  １１  リクエスト送信部、
１２  レスポンス受信部、  １３  携帯画像格納部、  １４  携帯画像管理部、  １５  地図表示画面、  １６  地図表示部、  １７  一時描画部、  １８  入力装置、  ２１  リクエスト受信部、  ２２  レスポンス送信部、  ２３  サーバ画像格納部、  ２４  サーバ画像管理部、  ２５  サーバ画像生成部、  ２６  設備情報データベース（設備情報ＤＢ）、  ２７  ＤＢアクセス部、  ３１  背景地図画像、  ３２  ダウンロード対象、  ３３  表示範囲、  ４２  ダウンロード対象、  ４３  表示範囲、  ５１  設備シンボル画像、  ５２  ダウンロード対象、  ６１  合成地図画像、  ６２  合成地図画像の範囲、  ６３  表示範囲、  ６４  追加シンボルの近辺範囲、  ６５  追加シンボル、  ６６  一時描画結果、  ７１  合成地図画像、  ７４  更新対象、  ７５  追加した設備シンボル、  ７６  設備情報、  ７７  変更範囲、  ７８  再生成された合成地図画像、  ８１  合成地図画像、  ８３  表示範囲、  ９０、９０ａ、９０ｂ  カーソル、  ９１  合成地図画像、  ９２  シンボルを削除した画像、  ９３  背景地図画像、  ９４  更新対象、  ９５  削除シンボル、  ９６  一時描画結果、  ９７  削除シンボルを除いた設備シンボル画像、  ９８  変更範囲、  ９９  削除した設備シンボル、  １００  再生成された合成画像、  １０１ａ，１０１ｂ  合成地図画像、  １０２ａ、１０２ｂ  シンボルを削除した画像、  １０３ａ、１０３ｂ  背景地図画像、  １０４ａ、１０４ｂ  更新対象、  １０５  移動シンボル、  １０６ａ、１０６ｂ  一時描画結果、  １０７ａ  移動シンボルを除いた設備シンボル画像、  １０８ａ、１０８ｂ  変更範囲、  １１０ａ、１１０ｂ  再生成された合成画像、  １２２  移動前の地図表示範囲、  １２３  移動後の地図表示範囲、  １２４  携帯画像格納部に存在しないセル、  １２５  移動前と移動後ともに関係するセル、  １２６  削除対象となる背景地図画像、  １２７  合成地図画像、  １３１  合成地図画像、  １３３  表示範囲、１３５  拡大縮小前の地図表示範囲、  １３６  拡大縮小後の地図表示範囲。
【図１】
2015184599.tif 000003
【図２】
2015184599.tif 000004
【図３】
2015184599.tif 000005
【図４】
2015184599.tif 000006
【図５】
2015184599.tif 000007
【図６】
2015184599.tif 000008
【図７】
2015184599.tif 000009
【図８】
2015184599.tif 000010
【図９】
2015184599.tif 000011
【図１０】
2015184599.tif 000012
【図１１】
2015184599.tif 000013
【図１２】
2015184599.tif 000014
【図１３】
2015184599.tif 000015
【図１４】
2015184599.tif 000016
【図１５】
2015184599.tif 000017
【図１６】
2015184599.tif 000018
【図１７】
2015184599.tif 000019
【図１８】
2015184599.tif 000020
【図１９】
2015184599.tif 000021
【図２０】
2015184599.tif 000022
【図２１】
2015184599.tif 000023
【図２２】
2015184599.tif 000024
【図２３】
2015184599.tif 000025
【図２４】
2015184599.tif 000026
【図２５】
2015184599.tif 000027
【図２６】
2015184599.tif 000028
【図２７】
2015184599.tif 000029
【図２８】
2015184599.tif 000030
【図２９】
2015184599.tif 000031
【図３０】
2015184599.tif 000032